(57)【要約】      （修正有）【課題】ゲル状石鹸の収納容器であって、経時的な型崩れを防止できるブリスターパックを提供する。【解決手段】ゲル状の石鹸を収容する凹部を有する透明硬質プラスチックのブリスター部２と台紙３とから成るブリスターパック１であって、ブリスター部２の凹部の下方部２ａは略半球状に又は略半楕円球状に形成すると共に、上方部２ａに水平状のシート接着面２ｃを設け、シート接着面２ｃと台紙３とを接着させ、密閉し、凹部に略球形状又は略楕円球形状の柔らかいゲル状の石鹸Ａを固定することで、型崩れを防止する形状のブリスターパックに収納したものである。【選択図】図４
0003182725.tif 000002
【実用新案登録請求の範囲】
【請求項１】
ゲル状の石鹸を収容する凹部を有する透明硬質プラスチックのブリスター部（２）と台紙（３）とから成るブリスターパック（１）であって、前記ブリスター部（２）の凹部の下方部（２ａ）は略半球状又は略半楕円球状に形成すると共に、該上方部（２ｂ）は略半球状又は略半楕円球状の最大直径と同じ直径の円筒状又は楕円筒状で、該上方部の周辺を接着する上端に水平状のシート接着面（２ｃ）を設け、シート接着面（２ｃ）と台紙（３）とを接着させ密閉し、前記凹部に略球形状又は略楕円球形状のゲル状の石鹸を収納したことを特徴とするブリスターパック。
【考案の詳細な説明】
【技術分野】
【０００１】
本考案は、ゲル状半固形状の石鹸用ブリスターパックに関するものであり、更に詳細には、一般家庭のお風呂や洗面所で使用する石鹸をゲル状として略球形状又は略楕円球形状の状態で収容するゲル状半固形状の石鹸用ブリスターパックに関するものである。
【０００２】
従来から、石鹸は固形状のものか、液状のものかが一般的なものであるが、本願の出願人が先に出願した特願２０１１−２８８２２２で開示したものは、ゲル状の石鹸の組成物を提供するもので、その組成物から製造されたゲル状の石鹸を収容するブリスターパックに関するものである。
【背景技術】
【０００３】
つまり、ゲル状の石鹸とは、粘弾性をもつ固体の状態ものであり、一般的な固形石鹸は硬度が高いので薄板状に切断しても変形することは無く、寧ろ、使用中に水分を吸収して液状化することを防ぐように水切り等の工夫がされているが、本願はゲル状の石鹸を提供するものであり、薄板状に切断して商品化しても経時において角部や縁部が垂れてしまい型崩れをしてしまう恐れもあり、更に、本出願人が先に開示した泡立て機能付き石鹸容器は、略球形状又は略楕円球状の化粧石鹸Ａを収容する容器であって、上方に開口１ａを有し下方に複数の載置用突起を有した略皿状又は略碗状の下方ケーシング１と、下方ケーシング１の開口１ａに着脱自在に合体して全体が略卵形状又は略球形状となる透明部材又は半透明部材で形成された上方ケーシング２と、上方ケーシング２の頂部に穿設した注排出穴部３とを備えるもの（特許文献１参照）や、最終利用者により何時でも取外し可能なタブ付きのシール部材を備えたブリスターパックを提供するもの（特許文献２参照）や、左右方向中間部がくびれたブリスタ部３を有する樹脂シート２と台紙１とを、上記ブリスタ部内に食品Ａを収納させてブリスタパックにすると共に、上記ブリスタ部のくびれ部分に前後方向の全長に亘って破断線６を敷設し、かつ該破断線下方の台紙部分に前後方向の全長に亘って屈曲線７を付設し、該屈曲線に沿って台紙を山折りに屈折することで、上記破断線が破断してブリスタ部が左右に二分割された状態でそれぞれ開口すると共に、上記台紙が山形状に起立することが可能に形成させたもの（特許文献３参照）が開示されている。
【特許文献１】実用新案登録第３１７４４２２号公報
【特許文献２】特開２０００−８５８４０号公報
【特許文献３】実開昭６３−１６４４７１号公報
【考案の開示】
【考案が解決しようとする課題】
【０００４】
特許文献１に記載のものは、略球形状又は略楕円球状の化粧石鹸Ａを収容すると共に、泡立て機能を付加させたものであるが、泡立て機能付き石鹸容器は構造が複雑で高価になり使い捨てができないものであり、また、特許文献２〜３に記載のものは、一般的なブリスターパックに関するもので、食品、医療品、研究用供給材料、及び、粉、練状調味料や振り掛け等の食品を収納できるもので、固形物から流動物まで収納できるものであるが、ゲル状の石鹸の容器として用いる発想はないもので、経時における型崩れが発生する問題を有するものである。
【課題を解決するための手段】
【０００５】
前述の課題に鑑み、鋭意研鑽の結果、ゲル状の石鹸を収容する凹部を有する透明硬質プラスチックのブリスター部（２）と台紙（３）とから成るブリスターパック（１）であって、ブリスター部（３）の凹部の下方部（２ａ）は略半球状に又は略半楕円球状に形成すると共に、上方部（２ａ）に水平状のシート接着面（２ｃ）を設け、シート接着面（２ｃ）と台紙（３）とを接着させ、密閉し、凹部に略球形状又は略楕円球形状の柔らかいゲル状の石鹸（Ａ）を固定することで、型崩れを防止する形状のブリスターパックに収納したものである。
【考案の効果】
【０００６】
本考案のブリスターパックは、凹部を有する透明硬質プラスチックのブリスター部に略球形状又は略楕円球形状のゲル状の石鹸を収納したもので、ゲル状の石鹸に着色や金粉等を混入させることにより、透明プラスチックのブリスターパックは収納した略球形状又は略楕円球形状のゲル状の石鹸を綺麗に目視させることができるもので、また、ブリスターパックを用いることにより、ゲル状の石鹸の型崩れを防ぐことができるもので、通常、耐水性の袋を用いるが、袋だと搬送、輸送時に保管や出し入時にゲル状の石鹸が潰れてしまう恐れがあり、その点、ブリスターパックだと硬質のプラスチックであるので潰れることなくエンドユーザーまで届けられるもので、画期的で実用性の高い考案である。
【考案を実施するための最良の形態】
【０００７】
以下、本考案のブリスターパックの実施の形態の図面によって具体的に説明すると、図１は本考案のブリスター容器の実施例を説明するための正面説明図であり、図２は本考案のブリスターパックの実施例をシート部を説明するための正面説明図であり、図３は本考案のブリスターパックの実施例を説明するための正面説明図であり、図４は本考案のブリスターパックの実施例を説明するための正面説明図である。
【０００８】
本考案は、ブリスターパックに関するものであり、詳細には、一般家庭のお風呂や洗面所で使用する石鹸をゲル状として略球形状又は略楕円球形状の状態で収容するブリスターパックに関するものであり、ゲル状の石鹸（Ａ）を収容する凹部を有する透明硬質プラスチックのブリスター部（２）と台紙（３）とから成るブリスターパック（１）であって、前記ブリスター部（２）の凹部の下方部（２ａ）を略半球状又は略半楕円球状に形成すると共に上方部（２ｂ）を円筒状又は楕円筒状に形成し、該円筒状の又は楕円筒状の周辺を接着する上端に水平状のシート接着面（２ｃ）を設け、シート接着面（２ｃ）と台紙（３）とを接着させ密封し、前記凹部に略球形状又は略楕円球形状の柔らかいゲル状（粘弾性）の石鹸（Ａ）を固定することで型崩れを防止する形状のブリスターパックに収納したことを特徴とするものである。
【実施例】
【０００９】
即ち、本考案のブリスターパック（１）は、図１に図示するように、透明硬質プラスチックのブリスター部（２）と台紙（３）とから成るもので、使い捨てができて、販売展示や携帯に好適なもので、更には、廉価で入手できるものである。
【００１０】
そして、ブリスター部（２）は、透明硬質プラスチックを真空成形等によって成形されるもので、凹部は後述する略球形状又は略楕円球形状のゲル状の石鹸（Ａ）を収納するものである。更に、ゲル状の石鹸を型崩れすることなくブリスターパックとに長期保存することもできるものである。
【００１１】
次に、台紙（３）は、平板状のもので片面にブリスター部（２）のシート接着面（２ｃ）との接合面を有し、他面に商品の名前や説明等をデザイン的に施した裏面とから成り、商品の名前や説明等は片面に施しても透明のブリスター部（２）を透して目視できるものである。
【００１２】
次いで、ブリスター部（２）の凹部は、後述する略球形状又は略楕円球形状のゲル状の石鹸（Ａ）を収納するために、下方部（２ａ）を略半球状又は、略半楕円球状に形成するものであり、該下方部（２ａ）の上方に延設された上方部（２ｂ）は下方部（２ａ）の略半球状又は、略半楕円球状の周方向の最大直径を有した円筒状又は、楕円筒状に形成するものである。
【００１３】
更に、シート接合面（２ｃ）は、円筒状又は、楕円筒状の上方端に水平状に延設したもので、台紙（３）と接合させるものであるが、接合は接着しても、ステンブラーで止めても、シート部の周縁を折曲させてその折曲部に台紙の周縁を挿通させても構わないものであるが、ゲル状の石鹸（Ａ）は長期に亘る乾燥を防ぐために密封状に接着するのが好適なものである。
【００１４】
更には、台紙（３）は、平板状の硬質、軟質の合成樹脂製フィルム状あるいは平板等であり、片面の接合面をブリスター部（２）のシート接着面（２ｃ）に接合させるもので、裏面にはある商品の名前や取り扱い説明等を印刷する事が出来るものである。
【００１５】
そして、ブリスター部（２）の凹部に、略球形状又は略楕円球形状のゲル状の石鹸（Ａ）を収納したものであるが、ゲル状の石鹸Ａは、本出願人が先に特願２０１１−２８８２２２で出願した皮膚洗浄用ゲル組成物で、予め略球形状又は略楕円球形状に形成したものをそのまま収納しても、予め略球形状又は略楕円球形状に形成したゲル状の石鹸Ａを絵柄等を印刷したフィルム（図示しない）で包装したものを収納しても構わないものである。
【００１６】
また、ブリスター部（２）の凹部に、製造時高温にて流動する該石鹸を充填時、注入ノズルから任意の一定量宛注入しても、凹部の形状に沿って下方は略半球状又は略半球状となり、上方は粘弾性の強い表面張力により盛り上がり、全体的に略球形状又は略楕円球形状に形成されるものである。
【産業上の利用可能性】
【００１７】
本考案は、凹部を有する透明硬質プラスチックのブリスター部に略球形状又は略楕円球形状のゲル状の石鹸を収納したもので、ゲル状の石鹸に着色や金粉等を混入させることにより、透明プラスチックのブリスターパックは収納した略球形状又は略楕円球形状のゲル状の石鹸を綺麗に目視させることができるブリスターパックを提供するものである。
【図面の簡単な説明】
【００１８】
【図１】図１は本考案のブリスター容器の実施例を説明するための正面説明図である。
【図２】図２は本考案のブリスターパックの実施例をシート部を説明するための正面説明図である。
【図３】図３は本考案のブリスターパックの実施例を説明するための正面説明図である。
【図４】図４は本考案のブリスターパックの実施例を説明するための正面説明図である。
【符号の説明】
【００１９】
（Ａ）      ゲル状の石鹸
（１）      ブリスターパック
（２）      ブリスター部
（２ａ）    下方部
（２ｂ）    上方部
（２ｃ）    シート部
（３）      台紙
【図１】
0003182725.tif 000003
【図２】
0003182725.tif 000004
【図３】
0003182725.tif 000005
【図４】
0003182725.tif 000006